(57)【要約】【課題】  コーナー部材に対してフレーム部材を簡単に所定量挿入することができ、しかも接着剤を用いなくても両者ががたつかない額の構成部材を提供する。【解決手段】  断面コ字形のフレーム部材を挿入するための一対の挿入穴５，６を直角に形成するとともに、挿入穴５の内周壁に嵌合凸部９を形成したコーナー部材７ａと、挿入穴５に挿入可能なはめ込み部材８ａとを備え、はめ込み部材８ａは、挿入穴５に嵌合する断面コ字形の挿入部１０と、挿入部１０に連続し当該挿入部１０よりも外周を僅かに小さくしたガイド部１１とを有し、挿入部１０には嵌合凹部１３を形成し、挿入穴５に挿入部１０を挿入したとき、嵌合凸部９が嵌合凹部１３に嵌合してはめ込み部材８ａがコーナー部材２ａから抜けるのを阻止するとともに、挿入穴５とそれに挿入されたガイド部１１との間にフレーム部材が圧入される圧入すき間が形成される寸法関係を維持した。【選択図】  図２
2008206698.tif 000002
【特許請求の範囲】
【請求項１】
額を構成する断面コ字形のフレーム部材を挿入するための一対の挿入穴を直角に形成するとともに、少なくとも一方の挿入穴内周壁に嵌合凸部を形成したコーナー部材と、上記挿入穴に挿入可能なはめ込み部材とを備え、このはめ込み部材は、上記挿入穴に嵌合する断面コ字形の挿入部と、この挿入部に連続し当該挿入部よりも外周を僅かに小さくした断面コ字形のガイド部とを有し、上記挿入部には穴または凹みからなる嵌合凹部を形成し、上記挿入穴に挿入部を挿入したとき、上記嵌合凸部が嵌合凹部に嵌合してはめ込み部材がコーナー部材から抜けるのを阻止する構成にするとともに、上記挿入穴とそれに挿入されたガイド部との間には、上記フレーム部材が圧入される圧入すき間が形成される寸法関係を維持した額の構成部材。
【請求項２】
上記断面コ字形のフレーム部材は、弾性を保持したプラスチックで形成されるとともに、その開放端側の幅を底部の幅よりも狭くし、かつ、上記開放端側の幅を、額に入れるプレートの厚さよりも狭くした請求項１に記載した額の構成部材。
【請求項３】
はめ込み部材を挿入穴に挿入するとともに、上記嵌合凸部が嵌合凹部に嵌合したとき、上記挿入穴の開口からガイド部が突出する構成にした請求項１または２に記載した額の構成部材。
【発明の詳細な説明】
【技術分野】
【０００１】
この発明は、絵や広告等の装飾を施したプレート用の額に関する。
【背景技術】
【０００２】
飲食店、駅や病院等の公共施設、あるいは遊技場などにおいて、案内や広告等の装飾を施したさまざまなプレートを目にする。例えば、スーパーの食品売り場では、来店客の注意を惹くために、価格や商品名を記したプレートを天井から吊るしたり、あるいはワゴンや棚に貼り付けたりしている。こうしたプレートを利用する際には、その装飾性を向上させたり、あるいは展示をしやすくしたりするために、簡易な額にプレートの周縁をはめ込む場合がある。
この従来知られている簡易な額について、図９〜図１２を用いて説明する。
【０００３】
図９に示す従来の額は、文字や装飾を施したプレートＰの周縁を保持する４本のフレーム部材１ａ〜１ｄと、これらフレーム部材１ａ〜１ｄの両端を固定するための４つのコーナー部材２ａ〜２ｄとによって構成されている。なお、コーナー部材２ａ〜２ｄは全て同一の構造であり、また、上記フレーム部材１ａ〜１ｄも、その長さを除いて同一の構造である。したがって、ここではフレーム部材１ａおよびコーナー部材２ａについて説明する。
【０００４】
上記フレーム部材１ａは、弾性を保持したプラスチックからなり、図１０に示すように、所定の長さを有する薄い板状の底部３と、この底部３の両端から同一方向に突出する側部４，４とを有する断面コ字形の部材である。そして、上記側部４，４の先端側は開放されているが、この側部４，４の開放端側の幅Ｌ１は、底部３の幅Ｌ２よりも狭くしている。そして、この開放端側の幅Ｌ１は、上記プレートＰの厚さよりも僅かに狭くしている。したがって、プレートＰの周縁を側部４，４間に圧入すれば、一対の側部４，４は互いに離れるように作用するとともに、その弾性力によってプレートＰを挟持することができる。
【０００５】
一方、上記コーナー部材２ａは、上記フレーム部材１ａ〜１ｄの端部を挿入するための一対の挿入穴５，６を、その開口が直角に位置するように形成している。
より詳細には、コーナー部材２ａは、一対の背部５ａ，６ａを直角に位置させるとともに、上記背部５ａの両端から側面部５ｂ，５ｂを直角に突出させている。また、上記背部６ａの両端からも、上記側面部５ｂ，５ｂと一体的に形成した側面部６ｂ，６ｂを直角に突出させている。
【０００６】
そして、側面部５ｂ，５ｂの先端には、当該側面部５ｂ，５ｂの内側に向かって突出する掛け止め部５ｃ，５ｃを形成するとともに、これと同様の掛け止め部６ｃ，６ｃを上記側面部６ｂ，６ｂの先端に形成している。したがって、背部５ａ、側面部５ｂ，５ｂ、および掛け止め部５ｃ，５ｃで形成される挿入穴５、および、背部６ａ、側面部６ｂ，６ｂ、および掛け止め部６ｃ，６ｃで形成される挿入穴６は、その断面が凸形になる。
また、上記挿入穴５，６の幅、すなわち、側面部５ｂ，５ｂ、側面部６ｂ，６ｂの間隔Ｌ３は、フレーム部材１ａ〜１ｄにおける底部３の幅Ｌ２とほぼ等しいか、もしくはそれよりも僅かに広い寸法関係を維持している。なお、掛け止め部５ｃ，５ｃ、６ｃ，６ｃの突出幅は、上記フレーム部材１ａの側部４，４の厚さよりも僅かに厚くしている。
【０００７】
上記の構成からなるフレーム部材１ａ〜１ｄおよびコーナー部材２ａ〜２ｄは、例えば次のようにして用いられる。
まず、フレーム部材１ａとコーナー部材２ａとを、図１１に示す状態で、接着剤で固定する。このとき、挿入穴６から図中点線で示す治具Ａを挿入するとともに、フレーム部材１ａの先端外周に接着剤を塗布しておく。そして、フレーム部材１ａの底部３と、コーナー部材２ａの背部５ａとを接触摺動させながら、挿入穴５に上記フレーム部材１ａの一端を挿入する。
【０００８】
図示のように、フレーム部材１ａの先端が治具Ａに当接したら、別の治具を用いて、フレーム部材１ａの側部４，４を広げて、側部４，４とコーナー部材２ａの側面部５ｂ，５ｂとを接触させる。つまり、フレーム部材１ａの側部４，４は、先端に向かって徐々に幅狭にしているため、側部４，４と、コーナー部材２ａの側面部５ｂ，５ｂとの間には隙間ができてしまう。そこで、側部４，４と側面部５ｂ，５ｂとをしっかりと接着させるべく、フレーム部材の側部４，４を広げるのである。
【０００９】
そして、フレーム部材１ａ〜１ｄにプレートＰを固定する際には、予め次のようにコーナー部材２ａ〜２ｄと、フレーム部材１ａ〜１ｄとを固定しておく。すなわち、図１２に示すように、コーナー部材２ａにフレーム部材１ａ，１ｄの一端を固定するとともに、コーナー部材２ｂにフレーム部材１ａの他端と，フレーム部材１ｂの一端とを固定する。また、フレーム部材１ｃの一端をコーナー部材２ｄの挿入穴５に固定するとともに、フレーム部材１ｃの他端をコーナー部材２ｃの挿入穴５に固定しておく。このように、予めフレーム部材とコーナー部材とを部分的に固定した状態で、フレーム部材１ｂ，１ｄにプレートＰの両側面を圧入して挟持させる。そして、プレートＰを図中ｘ方向にスライドさせるとともに、プレートＰの下面をフレーム部材１ａの側部４，４間に圧入する。
【００１０】
このように、プレートＰの下面がフレーム部材１ａに圧入された状態では、フレーム部材１ｂ，１ｄの先端がプレートＰの上面よりも突出するので、このフレーム部材１ｂの先端をコーナー部材２ｃの挿入穴６に挿入し、フレーム部材１ｄの先端をコーナー部材２ｄの挿入穴６に挿入する。
そして、フレーム部材１ｃの側部４，４間にプレートＰの上面を圧入させれば、プレートＰの周縁を保持するようにして額を構成することができる。
なお、フレーム部材１ｂ，１ｄをコーナー部材２ｃ，２ｄに挿入する際に、フレーム部材１ｂ，１ｄの先端に接着剤を塗布しておけば、全てのフレーム部材をしっかりと固定することができる。
一方、フレーム部材１ｂ，１ｄに接着剤を塗布しない場合には、フレーム部材１ｂ，１ｄがコーナー部材２ｃ，２ｄから抜ける恐れがある。しかし、この場合には、コーナー部材２ｃ，２ｄを何度も着脱することができるので、プレートＰを何度も取り換えて利用することができる。
なお、先行技術文献については特に調査していない。
【発明の開示】
【発明が解決しようとする課題】
【００１１】
上記の構成からなる額は、コーナー部材２ａ〜２ｄに対するフレーム部材１ａ〜１ｄの挿入量を一定に保つために、治具Ａを用いてフレーム部材１ａ〜１ｄとコーナー部材２ａ〜２ｄとを接着している。このように、フレーム部材１ａ〜１ｄをコーナー部材２ａ〜２ｄに固定する際に、治具Ａを用いなければならないため、その固定作業が非常に面倒になるという問題があった。
また、コーナー部材（２ａ）の一方の挿入穴（５）にフレーム部材（１ａ）を固定すると、この固定したフレーム部材（１ａ）が邪魔になってしまうため、他方の挿入穴（６）にフレーム部材（１ｄ）を挿入する際には治具を用いることができなくなってしまう。したがって、他方の挿入穴（６）にフレーム部材（１ｄ）を固定する際には、その挿入量にばらつきが生じてしまうおそれがある。このように、コーナー部材に対するフレーム部材の挿入量がばらつくと、プレートＰの周縁をしっかりと保持することができなくなってしまうという問題があった。
【００１２】
しかも、コーナー部材２ａ〜２ｄにフレーム部材１ａ〜１ｄを固定する際には、フレーム部材１ａ〜１ｄの先端外周に接着剤を塗布した状態で、当該フレーム部材１ａ〜１ｄを挿入穴５，６に挿入する。
しかし、フレーム部材１ａ〜１ｄ外周に塗布した接着剤は、その挿入過程において、挿入穴５，６の開口端（エッジ）によって拭き取られてしまう。そのため、底部３と背部５ａ，６ａ間に必要量の接着剤が行き渡らずに、両者の接着力が弱くなってしまうという問題があった。
【００１３】
さらには、上記したように、フレーム部材とコーナー部材とを部分的に着脱可能にしておき、言い換えれば、部分的に接着剤を利用せずにフレーム部材をコーナー部材に挿入しただけの状態にしておき、プレートＰを何度も取り換えて利用する場合もある。ところが、フレーム部材１ａ〜１ｄの側部４，４は、先端に向かって徐々に幅狭になっているため、フレーム部材１ａ〜１ｄを挿入穴５に挿入したとき、側部４，４と側面部５ｂ，５ｂとはほとんど接触しておらず、フレーム部材１ａ〜１ｄとコーナー部材２ａ〜２ｄとは、底部３と背部５ａとが接触するのみである。
このように、フレーム部材１ａ〜１ｄとコーナー部材２ａ〜２ｄとの接触面積が小さいため、両者を接着剤で固定しない場合には、どうしてもフレーム部材１ａ〜１ｄとコーナー部材２ａ〜２ｄとががたついてしまい、軽い振動が生じただけでも、フレーム部材１ａ〜１ｄがコーナー部材２ａ〜２ｄから抜けてしまうという問題があった。
【００１４】
この発明の目的は、コーナー部材に対して、フレーム部材を簡単に所定量挿入することができ、しかも接着剤を用いない場合でも、両者ががたつかない額の構成部材を提供することである。
【課題を解決するための手段】
【００１５】
第１の発明は、額を構成する断面コ字形のフレーム部材を挿入するための一対の挿入穴を直角に形成するとともに、少なくとも一方の挿入穴内周壁に嵌合凸部を形成したコーナー部材と、上記挿入穴に挿入可能なはめ込み部材とを備え、このはめ込み部材は、上記挿入穴に嵌合する断面コ字形の挿入部と、この挿入部に連続し当該挿入部よりも外周を僅かに小さくした断面コ字形のガイド部とを有し、上記挿入部には穴または凹みからなる嵌合凹部を形成し、上記挿入穴に挿入部を挿入したとき、上記嵌合凸部が嵌合凹部に嵌合してはめ込み部材がコーナー部材から抜けるのを阻止する構成にするとともに、上記挿入穴とそれに挿入されたガイド部との間には、上記フレーム部材が圧入される圧入すき間が形成される寸法関係を維持した点に特徴を有する。
【００１６】
第２の発明は、断面コ字形のフレーム部材は、弾性を保持したプラスチックで形成されるとともに、その開放端側の幅を底部の幅よりも狭くし、かつ、上記開放端側の幅を、額に入れるプレートの厚さよりも狭くした点に特徴を有する。
第３の発明は、はめ込み部材を挿入穴に挿入するとともに、上記嵌合凸部が嵌合凹部に嵌合したとき、上記挿入穴の開口からガイド部が突出する点に特徴を有する。
【発明の効果】
【００１７】
第１〜３の発明によれば、はめ込み部材にフレーム部材を固定するとともに、当該はめ込み部材をコーナー部材に嵌めるだけで、フレーム部材をコーナー部材に固定することができる。また、フレーム部材とコーナー部材との相対位置は、嵌合凸部と嵌合凹部とによって常に一定になる。
したがって、フレーム部材を簡単にコーナー部材に固定することができるとともに、コーナー部材に対するフレーム部材の挿入量も常に一定にすることができる。
【００１８】
また、フレーム部材とコーナー部材とを完全に固定する場合には、フレーム部材の内側と、はめ込み部材の外側とを接着剤で固定してから、上記はめ込み部材を挿入穴に嵌め殺しにすればよい。このように、フレーム部材の内側に接着剤を塗布するとともに、はめ込み部材を介してフレーム部材とコーナー部材とを固定するので、フレーム部材とコーナー部材との接着が弱くなることがない。
さらに、プレートを何度も取り換える場合には、フレーム部材とコーナー部材とを接着剤を利用せずに挿入させた状態にしておくが、この場合にも、ガイド部とコーナー部材との間にフレーム部材が圧入されているので、フレーム部材ががたつくことがない。
【００１９】
特に第２の発明によれば、フレーム部材によってプレートをしっかりと挟持することができる。しかも、プレートに対する挟持力を強くしても、フレーム部材はガイド部とコーナー部材との間に形成される圧入すき間に圧入されているので、フレーム部材のがたつき防止と、挟持力の向上とを両立することができる。
特に第３の発明によれば、ガイド部が挿入穴の開口から突出するので、予めはめ込み部材を嵌め殺しにしたコーナー部材に、フレーム部材を着脱する際に、ガイド部がガイド機能を発揮して、フレームの着脱を容易にすることができる。
【発明を実施するための最良の形態】
【００２０】
図１を用いてこの発明の第１実施形態について説明する。なお、この第１実施形態における額の構成部材も、従来と同じフレーム部材を利用する。また、コーナー部材についても、後述する嵌合凸部を形成した点のみ上記従来のコーナー部材と異なり、その他は全て同じ構成である。したがって、従来と同じ構成については、同じ符号を付するとともに、従来と同じ図を用いて説明する。
図１に示すように、この第１実施形態の額は、４本のフレーム部材１ａ〜１ｄによって、文字や装飾を施したプレートＰの周縁を保持するものである。
【００２１】
上記フレーム部材１ａは、弾性を保持したプラスチックからなり、図１０に示すように、所定の長さを有する薄い板状の底部３と、この底部３の両端から同一方向に突出する側部４，４とを有する断面コ字形の部材である。そして、上記側部４，４の先端側は開放されているが、この側部４，４の開放端側の幅Ｌ１は、底部３の幅Ｌ２よりも狭くしている。そして、この開放端側の幅Ｌ１は、上記プレートＰの厚さよりも僅かに狭くしている。したがって、プレートＰの周縁を側部４，４間に圧入すれば、一対の側部４，４は互いに離れるように作用するとともに、その弾性力によってプレートＰを挟持することができる。
【００２２】
上記フレーム部材１ａ〜１ｄは、図２に示すコーナー部材７ａ〜７ｄおよびはめ込み部材８ａ〜８ｄによってその両端を固定する。なお、コーナー部材７ａ〜７ｄおよびはめ込み部材８ａ〜８ｄは同一の構造なので、ここでは、コーナー部材７ａおよびはめ込み部材８ａについて説明する。
コーナー部材７ａは、上記フレーム部材１ａ〜１ｄの端部を挿入するための一対の挿入穴５，６を、その開口が直角に位置するように形成している。
より詳細には、コーナー部材７ａは、一対の背部５ａ，６ａを直角に位置させるとともに、上記背部５ａの両端から側面部５ｂ，５ｂを直角に突出させている。また、上記背部６ａの両端からも、上記側面部５ｂ，５ｂと一体的に形成した側面部６ｂ，６ｂを直角に突出させている。
【００２３】
そして、側面部５ｂ，５ｂの先端には、当該側面部５ｂ，５ｂの内側に向かって突出する掛け止め部５ｃ，５ｃを形成するとともに、これと同様の掛け止め部６ｃ，６ｃを上記側面部６ｂ，６ｂの先端に形成している。したがって、背部５ａ、側面部５ｂ，５ｂ、および掛け止め部５ｃ，５ｃで形成される挿入穴５、および、背部６ａ、側面部６ｂ，６ｂ、および掛け止め部６ｃ，６ｃで形成される挿入穴６は、その断面が凸形になる。
また、上記挿入穴５，６の幅、すなわち、側面部５ｂ，５ｂ、側面部６ｂ，６ｂの間隔Ｌ３は、フレーム部材１ａ〜１ｄにおける底部３の幅Ｌ２とほぼ等しいか、もしくはそれよりも僅かに広い寸法関係を維持している。なお、掛け止め部５ｃ，５ｃ、６ｃ，６ｃの突出幅は、上記フレーム部材１ａの側部４，４の厚さよりも僅かに厚くしている。
【００２４】
そして、上記挿入穴５には、背部５ａの内周壁に嵌合凸部９を突出させている。この嵌合凸部９は、図４に示すように、挿入穴５の開口からその深部（背部６ａ側）に向かって緩やかに傾斜する傾斜部９ａと、この傾斜部９ａに連続するとともに上記背部５ａと平行にした平行部９ｂと、この平行部９ｂおよび背部５ａに対して直角に交わる抜け止め部９ｃとを備えてなる。
【００２５】
一方、上記はめ込み部材８ａは、図２、図３に示すように、上記コーナー部材７ａの挿入穴５に嵌合（挿入）する断面コ字形の挿入部１０と、この挿入部１０に連続するとともに、当該挿入部１０よりも外周を僅かに小さくした断面コ字形のガイド部１１とからなる。より詳細には、上記挿入部１０は、底面部１０ａと、この底面部１０ａの両端から直角に突出する側壁部１０ｂ，１０ｂとからなる。そして、上記挿入部１０と同様、ガイド部１１も、底面部１１ａと、この底面部１１ａの両端から略直角に突出する側壁部１１ｂ，１１ｂとを備えている。ただし、上記側壁部１１ｂ，１１ｂが底面部１１ａから突出する角度は、上記フレーム部材の側部４，４が底部３から突出する角度と等しくしている。
また、上記ガイド部１１は、挿入部１０よりもその外周を小さくしているため、はめ込み部材８ａの外周には、挿入部１０とガイド部１１との間に、段差部１２が形成される。
【００２６】
そして、はめ込み部材８ａには、挿入部１０からガイド部１１に亘って、より詳細には、底面部１０ａから底面部１１ａに亘って、穴状の嵌合凹部１３を形成している。なお、ここでは、嵌合凹部１３を挿入部１０からガイド部１１に亘って形成しているが、嵌合凹部１３は挿入部１０にあればよく、また、穴状ではなく凹みによって形成してもよい。いずれにしても、嵌合凹部１３は、後述するように、挿入穴５に挿入部１０を挿入したとき、コーナー部材７ａに形成した嵌合凸部９が嵌合する構成であれば特に大きさや形状等限定されるものではない。
【００２７】
上記の構成からなるコーナー部材７ａ、はめ込み部材８ａ、および上記フレーム部材１ａの各寸法関係は次のようにしている。
すなわち、図２、図３に示すように、はめ込み部材８ａの挿入部１０における幅、すなわち、底面部１０ａの幅Ｌ４は、コーナー部材７ａの挿入穴５の幅Ｌ３と等しいか、それよりも僅かに小さくしている。また、はめ込み部材８ａの挿入部１０における高さｈ１は、コーナー部材７ａの挿入穴５の高さ（背部５ａから掛け止め部５ｃまでの高さ）ｈ２と等しいか、それよりも僅かに小さくしている。
したがって、コーナー部材７ａの挿入穴５に対して、挿入部１０を先端にしてはめ込み部材８ａを図４に示すようにｘ方向に挿入すると、はめ込み部材８ａの外周と、挿入穴５の内周とが摺動接触しながら挿入される。
【００２８】
上記のようにはめ込み部材８ａを挿入穴５に挿入していくと、はめ込み部材８ａの先端が嵌合凸部９に接触する。この状態でさらにはめ込み部材８ａを強引に押し込むと、はめ込み部材８ａが嵌合凸部９を弾性変形させながら、当該嵌合凸部９を乗り越えるとともに、はめ込み部材８ａの先端が、背部６ａに当接するまで挿入される。
この状態を図５（ａ）に示すが、はめ込み部材８ａの先端が、背部６ａに当接した位置において、ちょうど嵌合凹部１３が嵌合凸部９上に位置するようにしているので、上記の状態では、嵌合凸部９が弾性力で再び元通りの状態に復帰する。したがって、嵌合凸部９と嵌合凹部１３とが嵌合するとともに、嵌合凸部９の抜け止め部９ｃによって、コーナー部材７ａからはめ込み部材８ａが抜けるのを阻止している。言い換えれば、ひとたびはめ込み部材８ａを挿入穴５に挿入すると、はめ込み部材８ａが抜けないように嵌め殺し状態となる。
そして、はめ込み部材８ａがコーナー部材７ａに完全に嵌った状態では、ガイド部１１の先端が、挿入穴５の開口からＬ５だけ突出するようにしている。
【００２９】
また、図２、図３に示すように、はめ込み部材８ａは、挿入部１０の高さをｈ１としているのに対して、ガイド部１１の高さｈ３を、上記ｈ１よりも小さいｈ３としている。そして、このガイド部１１の高さｈ３は、挿入穴５の高さ（背部５ａから掛け止め部５ｃまでの高さ）ｈ２よりも小さい寸法関係を維持している。つまり、コーナー部材７ａとはめ込み部材８ａとは、ｈ２≧ｈ１＞ｈ３という関係を維持している。
また、ガイド部１１の幅Ｌ６は、挿入部１０の幅Ｌ４よりも小さく、Ｌ３（挿入穴５の幅）≧Ｌ４＞Ｌ６という寸法関係を維持している。
【００３０】
したがって、図５（ａ）（ｂ）に示すように、挿入穴５にはめ込み部材８ａを嵌めると、ガイド部１１外周と挿入穴５の内周壁との間に圧入すき間１４が形成される。
そして、この圧入すき間１４は、上記フレーム部材１ａが圧入される寸法関係を維持している。つまり、ガイド部１１の底面部１１ａとコーナー部材７ａの背部５ａとの間隔（ｈ２−ｈ３）を、フレーム部材１ａの底部３の厚さとほぼ等しくなるようにしている。また、フレーム部材１ａを圧入すき間１４に圧入したとき、フレーム部材１ａの側部４，４の内周が、ガイド部１１の両側壁部１１ｂ，１１ｂ外周にぴったりと圧着するようにしている。
【００３１】
ただし、この第１実施形態においては、両側部４，４が先端に向かって徐々に幅狭になるため、両側部４，４の外周と、コーナー部材７ａの側面部５ｂ，５ｂとが圧着することはない。
しかし、上記のように、底部３は圧入すき間１４に圧入されるとともに、側部４，４の内周が、ガイド部１１の側壁部１１ｂ，１１ｂ外周に圧着するので、フレーム部材１ａを圧入すき間１４に挿入する際には、ある程度の圧入力が必要となる。
【００３２】
上記の構成からなる額の構成部材は、例えば図６、図７のようにして用いられる。
すなわち、図６に示すように、フレーム部材１ｄの一端内周に、接着剤を塗布するとともに、側部４，４間にはめ込み部材８ｄのガイド部１１をはめ込んで、フレーム部材１ｄとはめ込み部材８ｄとを一体化する。そして、図７に示すように、従来と同様治具Ａを用いるなどして、フレーム部材１ｄの他端をコーナー部材７ａの挿入穴６に固定する。
このように、フレーム部材１ｄ、はめ込み部材８ｄ、およびコーナー部材７ａをユニット化したら、フレーム部材１ａ〜１ｃ、はめ込み部材８ａ〜８ｃ、およびコーナー部材７ｂ〜７ｄも、それぞれ同様にユニット化しておく。
そして、各部材をユニット化したフレーム部材１ａ〜１ｄにプレートＰを挟持させた状態で、各はめ込み部材８ａ〜８ｄを挿入穴５に挿入すれば、プレートＰの周縁を保持する額を簡単に構成することができる。
【００３３】
なお、上記のように用いた場合には、はめ込み部材８ａ〜８ｄがコーナー部材７ａ〜７ｄに嵌め殺し状態になるため、各部材を分解してプレートＰを取り換える等することはできない。
一方、プレートＰを取り換えられるように額を使用する場合には、はめ込み部材８とフレーム部材１とを固定するのではなく、はめ込み部材８を予めコーナー部材７に嵌め殺しして、図５に示す状態にしておく。
そして、この状態で、ガイド部１１とコーナー部材７との間に形成される圧入すき間１４に、フレーム部材１の一端を圧入すればよい。この場合には、フレーム部材１を圧入すき間１４に圧入したり、あるいはフレーム部材１を引き抜いたりすれば、プレートＰの取り換えが可能となる。
しかも、フレーム部材１は、圧入すき間１４に圧入状態で保持されるので、接着剤を用いずに、フレーム部材１を圧入すき間１４に圧入するだけでも、フレーム部材１があまりがたつかない。ただし、この場合でも、フレーム部材１の他端は、従来と同様、接着剤で固定する必要がある。
【００３４】
上記第１実施形態によれば、フレーム部材１ａ〜１ｄをコーナー部材７ａ〜７ｄに簡単に固定することができる。また、フレーム部材１ａ〜１ｄとコーナー部材７ａ〜７ｄとの相対位置、すなわち、挿入量は、嵌合凸部と嵌合凹部との嵌合作用によって常に一定になる。
また、フレーム部材１ａ〜１ｄとコーナー部材７ａ〜７ｄとを完全に固定する場合には、フレーム部材１ａ〜１ｄの内側と、はめ込み部材８ａ〜８ｄの外側とを接着剤で固定してから、上記はめ込み部材を挿入穴に嵌め殺しにすれば、フレーム部材１ａ〜１ｄとコーナー部材７ａ〜７ｄとをしっかりと接着することができる。
一方、プレートＰを何度も取り換える場合には、フレーム部材１ａ〜１ｄとコーナー部材７ａ〜７ｄとの固定に接着剤を利用することができないが、この場合にも、ガイド部１１とコーナー部材７ａ〜７ｄとの間にフレーム部材１ａ〜１ｄが圧入されているので、がたつきが生じない。
【００３５】
なお、上記第１実施形態においては、フレーム部材１ａ〜１ｄを開放端に向かって徐々に幅狭にしたが、側部４，４は底部３から直角に突出させても構わない。ただし、上記のように、開放端の幅を底部３の幅よりも小さくした方が、側部４，４の弾性力によって、プレートＰをしっかりと挟持することができる。
しかも、フレーム部材１ａ〜１ｄにおいて、開放端の幅を底部３の幅より小さくしても、フレーム部材１ａ〜１ｄは、圧入すき間１４に圧入されているので、フレーム部材１ａ〜１ｄはあまりがたつかない。
【００３６】
また、上記フレーム部材、コーナー部材、およびはめ込み部材の素材等は特に限定されるものではない。つまり、フレーム部材はプラスチックに限定されることなく、また、特に弾性力を有するものでなくても構わない。ただし、嵌合凸部９は、はめ込み部材８を挿入穴５に挿入したときに弾性変形するとともに、はめ込み部材８が完全に嵌った状態で、再び元の形状に復帰することができるものでなければならない。
【００３７】
なお、上記第１実施形態においては、一対の挿入穴５，６のうち、一方の挿入穴５にのみ嵌合凸部９を形成したが、例えば、図８に示す第２実施形態のコーナー部材１５のように、他方の挿入穴６にも同じ嵌合凸部９を形成してもよい。
ただし、一対の挿入穴５，６は、その開口部側は独立しているものの、その奥側（はめ込み部材８の挿入方向先端側）の図中符号１６で示す点線スペースは共通にしている。したがって、両挿入穴５，６から、それぞれはめ込み部材を挿入したとしても、いずれか一方のはめ込み部材しか共有スペース１６に進入することはできない。例えば、一方の挿入穴５からはめ込み部材を挿入すると、このはめ込み部材が邪魔になってしまい、他方の挿入穴６から挿入したはめ込み部材が、共有スペース１６の範囲内に進入できなくなってしまう。
そこで、第２実施形態のコーナー部材１５においては、挿入穴６を挿入穴５よりも長くするとともに、挿入穴６側から挿入したはめ込み部材が、共有スペース１６に進入しない範囲内に嵌合凸部９を形成している。
このようにすれば、従来のようにコーナー部材とフレーム部材と接着させる必要が完全になくなるため、一層簡単に額を構成することができる。
【図面の簡単な説明】
【００３８】
【図１】第１実施形態の額の構成部材を組み立てた状態を示す平面図である。
【図２】コーナー部材およびはめ込み部材の立体図である。
【図３】はめ込み部材の立体図である。
【図４】コーナー部材とはめ込み部材との挿入過程を示す断面図である。
【図５】（ａ）は、はめ込み部材とコーナー部材との嵌合状態を示す断面図であり、（ｂ）は（ａ）における（ｂ）−（ｂ）線断面図である。
【図６】はめ込み部材とフレーム部材との嵌合状態を示す立体図である。
【図７】第１実施形態の額の構成部材の使用例を示す平面図である。
【図８】第２実施形態におけるコーナー部材を示す断面図である。
【図９】従来の額の構成部材を組み立てた状態を示す平面図である。
【図１０】従来のフレーム部材およびコーナー部材の立体図である。
【図１１】従来のコーナー部材とフレーム部材との固定方法を示す断面図である。
【図１２】従来の額の構成過程を示す立体図である。
【符号の説明】
【００３９】
１ａ〜１ｄ  フレーム部材
３          底部
５，６      挿入穴
７ａ〜７ｄ  コーナー部材
８ａ〜８ｄ  はめ込み部材
９          嵌合凸部
１０        挿入部
１１        ガイド部
１３        嵌合凹部
１４        圧入すき間
Ｐ          プレート
【図１】
2008206698.tif 000003
【図２】
2008206698.tif 000004
【図３】
2008206698.tif 000005
【図４】
2008206698.tif 000006
【図５】
2008206698.tif 000007
【図６】
2008206698.tif 000008
【図７】
2008206698.tif 000009
【図８】
2008206698.tif 000010
【図９】
2008206698.tif 000011
【図１０】
2008206698.tif 000012
【図１１】
2008206698.tif 000013
【図１２】
2008206698.tif 000014